(57)【特許請求の範囲】
【請求項１】
内層、
該内層上の第1証印、
該内層から隔てられ、該内層とは独立に回転することが可能な外層、
該内層及び外層の間の空洞、
該空洞中の流体、
を含み、
前記外層の上に第2証印をさらに含むゴルフボールであって、
前記第2証印が、第2層の中に埋設されるマグネットを含むことを特徴とするゴルフボール。
【請求項２】
内層、
該内層上の第1証印、
該内層から隔てられ、該内層とは独立に回転することが可能な外層、
該内層及び外層の間の空洞、
該空洞中の流体、
を含むゴルフボールであって、
前記第1層と第2層の相対的回転を単一回転軸に限定するガイドをさらに含むゴルフボール。
【請求項３】
内層、
該内層上の第1証印、
該内層から隔てられ、該内層とは独立に回転することが可能な外層、
該内層及び外層の間の空洞、
該空洞中の流体、
を含み、
前記第1証印が、複数の軸にそって印加される剪断力を示すグリッドを形成することを特徴とするゴルフボール。
【請求項４】
前記第1証印が、コアの中に埋設されるセンサーを含むことを特徴とする、請求項1〜3のいずれかに記載のゴルフボール。
【請求項５】
前記流体が、前記内層に対する前記外層の回転を鈍らせることが可能な粘度を有する液体であることを特徴とする、請求項1〜3のいずれかに記載のゴルフボール。
【請求項６】
前記外層の上に第2証印をさらに含む、請求項2に記載のゴルフボール。
【請求項７】
前記外層の上に第2証印をさらに含む、請求項3に記載のゴルフボール。
【請求項８】
前記内層と外層の一方の上に、前記ボールの所望の方向を表示する第3証印をさらに含む、請求項1,6,7のいずれかに記載のゴルフボール。
【請求項９】
該ボールの内層に第1証印を設けること、
該ボールの外層に第2証印を設けること、
該内層と外層の間の空洞に流体を設けること、
第1指定時間において、第1証印と第2証印の第1相対位置を決定すること、
を含む、ゴルフクラブによって打たれるときゴルフボールに付与される剪断力を定量する方法。
【請求項１０】
前記第1証印と第2証印の相対位置をデータベースと比較することをさらに含む、請求項9に記載の剪断力定量法。
【請求項１１】
前記相対位置に関するデータをコンピュータに入力することをさらに含む、請求項9に記載の剪断力定量法。
【請求項１２】
第2指定時間において、前記第1証印と第2証印の第2相対位置を決定することをさらに含む、請求項9に記載の剪断力定量法。
【請求項１３】
第1相対位置及び第2相対位置を比較することをさらに含む、請求項12に記載の剪断力定量法。
【請求項１４】
前記内層が、前記外層とは独立に回転可能とすることをさらに含む、請求項9に記載の剪断力定量法。
【請求項１５】
回転を一軸に限定することをさらに含む、請求項14に記載の剪断力定量法。
【請求項１６】
内層を設けること、
該内層から隔てられ、該内層と独立に回転することが可能な外層を設けること、
該内層と外層の相対的動きを感受することが可能なセンサーを、該内層中に配置すること、
センサーのデータを取得すること、
を含む、打撃の際ゴルフボールに付与される剪断力を定量する方法。
【請求項１７】
前記外層中にセンサートリガーを埋設することをさらに含む、請求項16に記載の剪断力定量法。
【請求項１８】
データを取得する前記工程が、前記ボールをコンピュータに連結することを含むことを特徴とする、請求項17に記載の剪断力定量法。
【請求項１９】
前記取得データをデータベースと比較することをさらに含む、請求項18に記載の剪断力定量法。
【請求項２０】
前記取得データを用いてスウィングプロフィールを計算することをさらに含む、請求項19に記載の剪断力定量法。
【発明の詳細な説明】
【技術分野】
【０００１】
本開示は、一般に、証印を含むゴルフボールに関する。より具体的には、本開示は、クラブによって打たれる際ボールに付与される剪断力を計算するのに使用することが可能な証印を含むゴルフボールに関する。
【背景技術】
【０００２】
ゴルフボールがゴルフクラブによって打たれる際該ボールに付与される剪断力を人が計算することを可能とする、種々のシステムが存在する。これらのシステムの多くはクラブヘッドスピードを定量し、次にこれは、剪断力の推定又は計算に用いられる。
【０００３】
従来から、クラブヘッドスピードは、種々の装置又は方法によって測定することが可能である。クラブヘッドスピードは、直接、クラブ上のセンサー、又はカメラ援用システムを介して測定することが可能である。それとは別に、クラブヘッドスピードは、クラブ又はボール上の衝撃マークを用いることによって間接的に測定することも可能と考えられる。クラブヘッドスピードを他のやり方で計算するために他の従来システムを使用することも可能である。しかしながら、これらのシステムはいずれも、外部センサー又はその他の装置部品の使用を必要とする。
【０００４】
ある特定の一撃によって生成される剪断力に関する知見は、多くの事物にとって有用である可能性がある。そのような知見は、例えば、特定のボールの選択に使用することが可能である。それとは別に、その知見は、ゴルファーのスウィング力学を、彼又は彼女のスウィングプロフィールによって生成される剪断力を変えるよう変更するのに使用することが可能である。
【０００５】
従来のシステムでは、その計算を実行するのに利用することが可能な公知の構造体及び方法はありながら、そのようなシステムは、通常、普通のゴルファーには使用されない。普通のゴルファーは、それらのシステムは高価であるか、又は複雑であるので、そのようなシステムの使用に対し尻込みする場合があるからである。
【発明の概要】
【発明が解決しようとする課題】
【０００６】
したがって、比較的安価で、プロフェッショナルレベルでも、又は平均的ゴルファーにおいても使用することが可能な、剪断力測定システムを考案することは望ましい。
【課題を解決するための手段】
【０００７】
一局面では、ゴルフボールは、内層、外層、及び、内層と外層の間の空洞を含む。第1証印は内層の上にある。外層は内層から隔てられ、内層とは独立に回転することが可能である。空洞の中に流体がある。さらに、第2及び第3証印を含むことも可能である。第2証印は外層の上にあり、第3証印は、内層と外層の内の一方の上にあることが可能である。
【０００８】
別の局面では、ゴルフボールに付与される剪断力を定量する方法が開示される。第1証印は、ボールの内層に設けられる。第2証印は、ボールの外層に設けられる。内層と外層の間の空洞には流体が設けられる。第1指定時間において、第1証印と第2証印の、第1相対位置が調べられる。第2指定時間において、第1証印と第2証印の第2相対位置を調べることが可能であり、第1及び第2相対位置を比較することが可能である。
【０００９】
別の局面では、ゴルフボールに付与される剪断力の定量法が開示される。内層が設けられ、センサーが該内層の中に位置づけられる。外層は内層から隔てられ、内層とは独立に回転することが可能である。センサーは、外層と内層の相対的運動を感知することが可能であってもよい。次に、このセンサーデータを取得することが可能である。センサートリガーは外層の中に埋設することが可能である。
【００１０】
本発明の他のシステム、方法、特色、及び利点は、当業者には明白であろうし、或いは、下記の図面及び詳細な説明を精査することによって明白となろう。そのような追加のシステム、方法、特色、及び利点は全て、本明細書及び本概要の範囲に含まれ、本発明の範囲に含まれ、且つ、下記の特許請求項によって保護されることが意図される。
【００１１】
本発明は、下記の図面及び説明を参照することによってさらによく理解することが可能である。図面の成分は必ずしも実尺に合致するものではなく、強調はむしろ本発明の原理の具体的説明に置かれる。さらに、図面において、同じ参照数字は、種々の投影図を通じて対応する部品を表示する。
【図面の簡単な説明】
【００１２】
【図１】ゴルフボールの第1実施態様の正面図である。
【図２】図1の直線2-2にそって得られる、図1の実施態様の断面図である。
【図３】方向指示証印を示す平面図である。
【図４】ゴルフボールの別実施態様の正面図である。
【図５】ゴルフボールの別実施態様の正面図である。
【図６】ゴルフボールの別実施態様の正面図である。
【図７】ガイドの第1実施態様を示す、ゴルフボールの別実施態様の正面図である。
【図８】ガイドの別態様を示す、ゴルフボールの別実施態様の正面図である。
【図９】ゴルフボールの別実施態様の正面図である。
【図１０】ゴルフボールの別実施態様の断面図である。
【図１１】ゴルフクラブによって打たれる前の、ゴルフボールの一実施態様を示す図である。
【図１２】図11のゴルフボール及びクラブにおいて、ボールがクラブによって打たれた後の図である。
【図１３】図11のゴルフボールにおいて、ボールが静止した後の正面図である。
【図１４】図10の実施態様のコンピュータとの連結を示す図である。
【発明を実施するための形態】
【００１３】
本実施態様は、ゴルフスウィングにおける剪断力を定量するためのゴルフボール構造体及び方法に関する。いずれのゴルフボール構造体をいずれの方法において使用することも可能であり、いずれの方法をいずれのボールと共に使用することも可能である。さらに、開示されるボール態様は、スウィング力学の他の局面を計算するために使用することも可能である。
【００１４】
図1及び2は、ゴルフボール100の第1実施態様を示す。ゴルフボール100は、内層102及び外層104を含む。内層102及び外層104は互いに隔てられ、空洞106を形成する。空洞106の中には流体が存在する。内層102及び外層104は、互いに独立に回転可能であってもよい。
【００１５】
空洞106中の流体は、液体、又は気体であることが可能である。単純形では、気体は、空気の標準組成物であることが可能である。しかしながら、空気または別の気体が使用される場合、内層102及び外層104を互いに隔離状態に維持するために、その気体を加圧下に挿入することが望ましいと考えられる。それとは別に、流体は液体であることが可能である。液体は、内層102と外層104の相対的回転を鈍らせる、高粘度の液体であることが可能である。
【００１６】
内層102はコアを含むことが可能である。コアは、ゴルフボールにおいて一般的に使用される各種コアのいずれのものであってもよい。例えば、コアは、液体充填性、又は固体充填性であることが可能と考えられる。コアは、ゴム、樹脂、又は、適切なものであれば他のいずれの材料であってもよい。コアはさらに、色々なタイプの錘を含んでもよい。コアはさらに糸巻きカバーを含んでもよい。当業者であれば、望ましい技術的特徴及び飛行特徴を生みだすコアを選択することは可能である。必要に応じて設けられるマントル層は、図面ではこれと名指して示されていないが、コアを包囲し、コアの外側に位置づけられてもよい。内層102は、図1及び2では、コアの外面として示されているが、そうではなく、必要に応じて設けられるマントル層又はコアの外側の別の層の外面によって定められてもよい。
【００１７】
市販のタイプでは、外層、特に、外層104の外面108は、ゴルフクラブによって打たれるように構成される。したがって、外層104は、各種ディンプル、フレット又は平地、突起、印刷、又は、デザイナーが、ボール100の飛行軌道に及ぼす影響の点で、あれば望ましいと思う、他の、任意の特徴を含んでもよい。外層104は、擦過傷耐性となるようにデザインされていてもよい。図1及び2の実施態様では、外層104は透光性である。外層104は、透明であるか、又は少なくとも透光性であることが望ましいと考えられる。
【００１８】
図面は、種々の厚みを有する層を描く。これらの厚みは、それらの層について唯一可能な厚みと見なしてはならない。種々の層にとって望ましい厚みは、デザイナーが使用したいと思う材料、及び、それら種々層によって提供したいと願う品質に依存する。当業者であれば、本実施態様を改変して、適切な厚みの層を有するボールを準備することが可能である。
【００１９】
第1証印110は、内層102の上に印加される。第1証印110は、複数の円又はドット112を含む。第2証印114は、外層104の上に印加される線分116を含む。内層102に対する第1証印の印加、及び、外層104に対する第2証印114の印加は、第1証印110、第2証印114、内層102、及び外層104のために使用される材料に基づいて利用可能であるか又は望ましいものであれば、いずれの技術的手段によって実行することも可能である。ある場合、証印は、図1及び2に示すように、各層の上面にそれを印刷することによってそれぞれの層に対して印加することが可能である。それとは別に、証印は、エンボス加工によって各層に印刻されてもよく、場合によっては各層の外面と等高とされてもよい。
【００２０】
図3は、ゴルフボール200の別様実施態様の平面図を示す。ゴルフボール200は、内層102と同じ特徴を有する内層202、及び、外層104と同じ特徴を有する外層204を含む。内層202及び外層204は、互いに隔てられ、空洞106と同じ特徴を有し、同様の流体によって充填されることを含む空洞206を形成する。内層202及び外層204は、互いに独立に回転することが可能であってもよい。
【００２１】
第1証印210は内層202に印加され、第1証印110と同じ基本的特徴を有する。第1証印210は、複数の円又はドット212を含む。ボール200は第2証印を含むが、これは図3には示されていない。ボール200はさらに、第3証印218を含んでもよい。第3証印218は二つの矢印220を含んでもよい。下記にさらに詳細に開示される方法において使用される場合、ボール200がゴルフクラブによって打たれるときに備えて、ユーザーが、ボール200の適切か又は所望の方向へボール200を位置づける際、第3証印218は、その位置づけを支援するように配置されていてもよい。第3証印218は、図3の実施態様のみに示されているが、他の図面に描かれる実施態様のいずれに対しても簡単に加えることが可能である。第3証印218は、内層202又は外層204のいずれにも、デザイナーがどちらをより望ましいとするかに応じて印刻又は印加することが可能である。
【００２２】
図4は、ゴルフボール300の別様実施態様の側面図を示す。ゴルフボール300は、内層102と同じ特徴を有する内層302、及び、外層104と同じ特徴を有する外層304を含む。内層302及び外層304は、互いに隔てられ、空洞106と同じ特徴を有し、同様の流体によって充填されることを含む空洞306を形成する。内層302及び外層304は、互いに独立に回転することが可能であってもよい。
【００２３】
第1証印310は内層302に印加され、第1証印110と同じ基本的特徴を有する。第1証印310は、複数の円又はドット312を含む。円又はドット312は、第1証印110の円又はドット112とは、それらの直径が漸増するという点で異なる。例えば、第1例示ドット324の直径322は、隣接する第2例示ドット328の直径326よりも小さい。第2証印314は外層304に印加され、第2証印114と同じ基本的特徴を有する。第2証印314は、線分316を含んでもよい。
【００２４】
第1証印310として様々な大きさを持つドットを使用することによって、第1証印310と第2証印314との、初期又は第1相対位置を表示又は定めるための機構を実現してもよい。例えば、ユーザーはボール300を調べて、第1証印310と第2証印314の相対位置を定めてもよい。ユーザーは、外層304に対して内層302を相対的に回転させ、最終的に、最小ドット324が、全体として、ある特定の相対的位置において線分316に整列又は隣接するようにしてもよい。ユーザーは、この回転を、転回又は振とうによって誘発してもよいし、又は、望ましく使用することが可能な、他の任意の利用可能な機構又は方法によって誘発してもよい。例えば、この実施態様でも、又は他の任意の実施態様においても、磁気要素を内層に埋設又は配置し、マグネットを用いて外層に対して内層を相対的に動かし、最終的に第1証印310が、第2証印314に対して整列するように配置させることが可能であると考えられる。この、第1証印310と第2証印314との整列は、下記に開示される方法の内の一つが使用される場合有用であると考えられる。
【００２５】
図5は、ゴルフボール400の別態様の側面図を示す。ゴルフボール400は、内層102と同じ特徴を有する内層402、及び、外層104と同じ特徴を有する外層404を含む。内層402及び外層404は、互いに隔てられ、空洞106と同じ特徴を有し、同様の流体によって充填されることを含む空洞406を形成する。内層402及び外層404は、互いに独立に回転することが可能であってもよい。
【００２６】
第1証印410は内層402に印加され、第1証印110と同じ基本的特徴を有する。第1証印410は、複数の数字430を含む。数字430は、漸増する一連の数字、例えば、図5に示すように0から9へと増大する数字を含むことが可能である。第2証印414は外層404に印加され、第2証印114と同じ基本的特徴を有する。第2証印414は、線分416を含んでもよい。
【００２７】
第1証印410として漸増する一連の数字を使用することによって、第1証印410と第2証印414の、初期又は第1相対位置を表示又は定めるための機構を実現することが可能である。例えば、ユーザーはボール400を調べて、第1証印410と第2証印414の相対位置を定めてもよい。ユーザーは、外層404に対して内層402を相対的に回転させ、最終的に、所望の数字430が、例えば、図示のように数字0が、全体として、ある特定の相対的位置において線分416に整列又は隣接されるようにしてもよい。ユーザーは、この回転を、転回又は振とうによって誘発してもよいし、又は、望ましく使用することが可能な、他の任意の利用可能な機構又は方法によって誘発してもよい。この、第1証印410と第2証印414との整列は、下記に開示される方法の内の一つが使用される場合有用であると考えられる。
【００２８】
図6は、ゴルフボール500の別態様の側面図を示す。ゴルフボール500は、内層102と同じ特徴を有する内層502、及び、外層104と同じ特徴を有する外層504を含む。内層502及び外層504は、互いに隔てられ、空洞106と同じ特徴を有し、同様の流体によって充填されることを含む空洞506を形成する。内層502及び外層504は、互いに独立に回転することが可能であってもよい。
【００２９】
第1証印510は内層502に印加され、第1証印110と同じ基本的特徴を有する。第1証印510は、複数の円又はドット512を含む。円又はドット512を含む外、第1証印510は、矢印532などのアライメント支援を含んでもよい。第2証印514は外層504に印加され、第2証印114と同じ基本的特徴を有する。第2証印514は、矢印534を含んでもよい。
【００３０】
二つの矢印、すなわち、第1証印510の一部としての一矢印532、及び第2証印514の一部としての一矢印534を使用することによって、第1証印510及び第2証印514の初期の相対位置を定める機構を実現することが可能である。例えば、ユーザーはボール500を調べて、第1証印510と第2証印514の相対位置を定めてもよい。ユーザーは、外層504に対して内層502を相対的に回転させ、最終的に、第1証印矢印532が、全体として、ある特定の相対的位置において第2証印矢印534に整列又は隣接されるようにしてもよい。ユーザーは、この回転を、転回又は振とうによって誘発してもよいし、又は、望ましく使用することが可能な、他の任意の利用可能な機構又は方法によって誘発してもよい。この、第1証印510と第2証印514との整列は、下記に開示される方法の内の一つが使用される場合有用であると考えられる。
【００３１】
図7は、ゴルフボール600の別態様の側面図を示す。ゴルフボール600は、内層102と同じ特徴を有する内層602、及び、外層104と同じ特徴を有する外層604を含む。内層602及び外層604は、互いに隔てられ、空洞106と同じ特徴を有し、同様の流体によって充填されることを含む空洞606を形成する。内層602及び外層604は、互いに独立に回転することが可能であってもよい。
【００３２】
第1証印610は内層602に印加され、第1証印510と同じ基本的特徴を有する。第1証印610は、複数の円又はドット612を含む。円又はドット612を含む外、第1証印610は、線分636などのアライメント支援を含んでもよい。第2証印614は外層604に印加され、第2証印514と同じ基本的特徴を有する。第2証印614は、線分616を含んでもよい。
【００３３】
図7に示すように、外層604に対する内層602の回転が制限され、そのため、回転は、一つの回転軸、例えば軸638において起こるだけで、他の軸に沿う動きは全て制限されることが望ましい。このような制限は、ボール600にガイドを含めることによって強化することが可能である。図7に示すように、ガイドは、第1ガイドセクション640及び第2ガイドセクション642を含む。第1ガイドセクション640と第2ガイドセクション642は、それぞれ、内層602に固定され、そのため、いずれも内層602に対して回転できなくなる。第1ガイドセクション640と第2ガイドセクション642は、図7では、材料及びデザインにおいて標準的ゴルフボールと類似するものとして示される。そうではなく、ガイドセクション640、642は、外層604の残りの部分と同じ材料から構成され、単純に内層602に固定されることも可能であると考えられる。さらに別態様として、第1ガイドセクション640と外層604の間に第1分割体644を、第2ガイドセクション642と外層604の間に第2分割体646を挿入することも可能であると考えられる。第1分割体644及び第2分割体646は、単独で使用されて、第1ガイドセクション640及び第2ガイドセクション642を独立に軸638の周囲に回転可能とすることも可能と考えられる。
【００３４】
図8は、ゴルフボール700の別態様の側面図を示す。ゴルフボール700は、内層102と同じ特徴を有する内層702、及び、外層104と同じ特徴を有する外層704を含む。内層702及び外層704は、互いに隔てられ、空洞106と同じ特徴を有し、同様の流体によって充填されることを含む空洞706を形成する。内層702及び外層704は、互いに独立に回転することが可能であってもよい。
【００３５】
第1証印710は内層702に印加され、第1証印510と同じ基本的特徴を有する。第1証印710は、複数の円又はドット712を含む。円又はドット712を含む外、第1証印710は、特殊文字748、具体的には文字Xとして示されるアライメント支援を含んでもよい。第2証印714は外層704に印加され、第2証印514と同じ基本的特徴を有する。第2証印714は、線分716を含んでもよい。
【００３６】
図8は、ガイドの、さらに別の実施態様を示す。内層702に対する外層704の移動又は回転を制限することが望ましい場合、軸738にそってガイドを挿入することが可能である。第1スピンドル750及び第2スピンドル752を、軸738に沿って内層702と外層704の間に設置することが可能である。第1スピンドル750及び第2スピンドル752は、それぞれ、内層702及び外層704が互いに対して回転可能となるよう、望むだけ多数の部品から構成されていてもよい。
【００３７】
図9は、ゴルフボール800の別実施態様の側面図を示す。ゴルフボール800は、内層102と同じ特徴を有する内層802、及び、外層104と同じ特徴を有する外層804を含む。内層802及び外層804は、互いに隔てられ、空洞106と同じ特徴を有し、同様の流体によって充填されることを含む空洞806を形成する。内層802及び外層804は、互いに独立に回転することが可能であってもよい。
【００３８】
第1証印810は内層802に印加され、第1証印110と同じ基本的特徴を有する。第1証印810は、複数のグリッドライン854、及び、グリッドライン854によって定められる正方形858の中に数字856を含む。第2証印814は外層804に印加され、第2証印114と同じ基本的特徴を有する。第2証印814は、X形状860を含んでもよい。
【００３９】
望ましい場合、例えば、種々の軸又は平面にそって印加される剪断力を考察するには、数字付きグリッドを使用することが望ましい場合がある。図9に示す実施態様では、第2証印814は、指定の第1証印開始グリッド方形、例えば、0でマークされる開始方形862の中に配置されるように外層804を位置づけることが可能である。外層804が内層802に対して移動する場合、ユーザーは、内層802に対する外層804の最終位置に基づいて、力の方向性及び大きさを決定することが可能である。
【００４０】
図10は、ゴルフボール900の別実施態様の断面図を示す。ゴルフボール900は、内層102と同じ特徴を有する内層902、及び、外層104と同じ特徴を有する外層904を含む。内層902及び外層904は、互いに隔てられ、空洞106と同じ特徴を有し、同様の流体によって充填されることを含む空洞906を形成する。内層902及び外層904は、互いに独立に回転することが可能であってもよい。
【００４１】
第1証印910は、コア内又は内層902内に埋め込むことによって内層902に印加してもよい。第2証印914は、外層904内に埋め込むことによって外層904に印加してもよい。第1証印910は、内層902の中心に埋め込まれるところが示されるが、第1証印910は、内層902の外側に印加されてもよく、又は、内層902の中又は上の任意の位置に印加されてもよく、それは、内層902の中に配置されると見なされる。第1証印910及び第2証印914は、互いに相性（あいしょう）を持つように選ばれてもよい。例えば、第2証印914は、センサートリガーとして作動するマグネット又はその他の品目であり、第1証印910は、第2証印914が第1証印910の周囲にどのように回転するか、その回数、スピード、又はその他の回転特徴を感知することが可能なセンサーであってもよい。このセンサーはさらに、内層902がどのように回転するか、その回数、スピード、又はその他の回転特徴を感知することが可能であってもよい。第1証印910は、ゴルフクラブによる衝撃によって活性可能となるように、圧電性であってもよいし、或いは、第1証印910がその感知機能を実行することを可能とするよう長寿命バッテリーを有していてもよい。さらに、第1証印910は、第1証印が、指示又はデータを受信又は送信することを可能とするトランシーバー964を含んでもよい。
【００４２】
図11-13は、ゴルフボールのための使用法、及び、本発明において開示される別法を示す。図11-13は、図8に示すものと同様のゴルフボール700の使用を示す。方法は、その実施態様との関連において記載される。しかしながら、記載の方法において、いずれのボール実施態様も使用が可能である。
【００４３】
図11に示すように、ボール700は、ティー1066の上に位置づけられてもよい。それとは別に、ボール700は、地面の上に置かれてもよいし、紐につながれてもよいし、或いは、ユーザーの好みに従って別様に位置づけられてもよい。図11に示すように、第1証印710は、複数のドット712及びアライメントマーク748を含む。第2証印714は、アライメントマーク748と整列する線分716を含む。第1証印710及び第2証印714の第1相対位置、例えば、図示の整列位置は、開始位置として使用するために、又は、第1指定時間において使用するために選択されてもよい。次に、ボール700は、クラブ1068によって打たれるのを待つ。図11は、クラブ1068として、ドライバー又は他のウッドが使用されることを示す。図示のドライバーの代わりに、ユーザーの望みの通りに、又は、他の任意の理由によってどのようなクラブを選択することも可能である。
【００４４】
図12に示すように、クラブ1068がボール700を打つと、内層702及び外層704は互いに独立して回転する。図で見て取れるように、第2証印714は回転して、第1証印のアライメント証印748から離れた位置に移る。図12は、例示目的のために示されるもので、ボール700が空中にあるとき、内層702及び外層704の相対的位置を、それがどのようなものであれ、調査、又は、定量は恐らくあり得ない。
【００４５】
図13は、ボール700の、可能な最終静止位置を示す。ボールが最終静止位置、又は、第2指定時間における別の指定位置に到達した場合、ボール700を調べて、第1証印710と第2証印714の、最終又は第2相対位置を決定することが可能である。図13は、第2相対位置に関する、一つの例示態様を示す。図13は、第2証印714が、全体として、第1証印アライメント証印748の上方の、第1証印の第2ドット712に隣接して配置されることを示す。第1スピンドル750及び第2スピンドル752などのガイドを使用することによって、内層702に対する外層704の相対的回転が一軸に制限されるので、クラブ1068によって打たれるときボール700に対して印加される剪断力に関し比較的単純な分析が可能とされる。なぜなら、第1証印710及び第2証印714は、相対的位置に関して予測可能な範囲に留まるからである。
【００４６】
クラブによって打たれる前の、第1指定時間における第1相対位置、及び、クラブによる打撃後の第2指定時間における第2相対位置が決定されたならば、第1相対位置及び第2相対位置データを使用することが可能である。第1相対位置及び第2相対位置は互いに比較することが可能である。第1相対位置及び第2相対位置は、データベースと比較することが可能であり、データベースは、この二つの相対的位置を生みだす特定の剪断力を表示する。データベースは、印刷されたチャートの形を取ることが可能であるし、或いは、紙の上に印刷された他の比較データの形を取ることも可能である。それとは別に、データベースは、コンピュータ内データベースの形を取ることも可能である。
【００４７】
データベースがコンピュータ内にある場合、ボールに印加される剪断力の計算を可能とするか又は改善するために、第1相対位置及び第2相対位置に関するデータをさらにコンピュータに入力してもよい。コンピュータは、図14に示すコンピュータ1170のように構成させることが可能である。データを入力するステップは、コンピュータに機能的に装着され、光学的データのコンピュータへの直接的入力を可能とする、スキャナー又はカメラなどの画像取得システム1172によって入力する形を取ってもよい。それとは別に、データ入力ステップは、ユーザーが、マウス、キーボード、スタイラス、又はその他の関連入力システムなどのデータ入力システム1174を通じて第1及び第2相対位置に関する情報を入力するという形を取ってもよい。コンピュータ1170上のソフトウェア、すなわち、付属のデータ保存体1176中に存在するか、又は、インターネット1178を介してアクセス可能であるソフトウェアが、第1相対位置の選択法、第1相対位置及び第2相対位置に関するデータ、及び、他の任意の関連データ、例えば、ボールの飛行時間又は距離、大気条件、又は他の任意の関連データの入力法についてユーザーに指示してもよい。
【００４８】
本明細書に開示される方法は、ボールを打つこと、及びそのボールをゴルフコースから回収することを含む。それとは別に、方法は、インドア又はアウトドアの指定地、すなわち、内層及び外層の相対的回転を制限して印加される剪断力の計算を単純化するよう、ボールが移動する時間及び距離を限定するためボールをネット又はその他の遮蔽物の中に打ち込むことを可能とする指定地において実行することも可能であると考えられる。
【００４９】
別法が図14に示される。図14に示す方法は、図10に示すものと同様のボールにおいてもっとも容易に使用され、同図には図10のボール900が描かれる。
【００５０】
図10におけるボール900の説明でも記したように、センサー910は内層902中に配置される。センサートリガー914は外層904中に埋設される。内層902及び外層904は互いに独立に回転することが可能である。ボール900は、図11及び12に記述されるようにクラブによって打たれる。ボール900が打たれると、センサー910は活性化し、内層902の動き、及びセンサートリガー914の相対的動きを感知する。センサー910は、例えば、内層902の回転数、及び、外層904の回転数を考慮してもよい。次に、センサー910によって決定されるデータを取得、評価し、クラブ1068によって打たれる際ボール900に対して印加される剪断力を定量することが可能である。
【００５１】
図14に示すように、センサー910からデータを取得するステップは、ボール900をコンピュータ1170と連結することによって実行することが可能である。図14に示すように、ボール900をコンピュータ1170に連結することは、ボール900をコンピュータ1170に接近させることと同じぐらい単純であってもよい。コンピュータ1170は、ハードウェア又はソフトウェアを装備していてもよく、これらは、センサー910上のトランシーバー964が、取得データをコンピュータ1170に送信するようトリガーするのに使用可能であるならば、いずれのものであってもよい。このデータ送信は、例えば、ブルートゥース又は赤外送信を含む、任意の有線又は無線送信システムを使用することが可能である。
【００５２】
ボール900からの取得データがコンピュータ1170に送信されると、このデータを用いて打撃による剪断力を計算することが可能である。取得データは、コンピュータ1170における付属のデータ保存体1176、例えば、ハード又はフロッピー（登録商標）ドライブ、又は、有線・無線接続を介してコンピュータに接続される、他の外付けドライブ又はデータ保存体の中に保存されるか、或いは、インターネット1178にアクセスすることによってアクセス可能とされるデータベースと比較することが可能である。このデータベースを用いて、ゴルフ打撃による剪断力、そのボールを打ったユーザーのスウィングプロフィール、その他、クラブによる打撃後の内外層の相対的運動から正当に導くことが可能な任意の計算値を計算することが可能である。
【００５３】
これまで本発明の各種実施態様が説明されてきたわけであるが、この説明は、限定的であるよりはむしろ例示的であることを意図するものであり、本発明の範囲内において、さらに多くの実施態様及び実行例が可能であることは当業者には明白であろう。したがって、本発明は、添付の特許請求項及びその等価物に徴することを除き、限定されてはならない。さらに、種々の改変及び変更が、添付の特許請求項の範囲内において実行することが可能である。
【符号の説明】
【００５４】
１００    ゴルフボール
１０２    内層
１０４    外層
１０６    空洞
１０８    外面
１１０    第1証印
１１２    ドット
１１４    第2証印
１１６    線分
９００    ゴルフボール
９０２    内層
９０４    外層
９０６    空洞
９１０    第1証印
９１４    第2証印
９６４    トランシーバー
【図１】
0005566927.tif 000002
【図２】
0005566927.tif 000003
【図３】
0005566927.tif 000004
【図４】
0005566927.tif 000005
【図５】
0005566927.tif 000006
【図６】
0005566927.tif 000007
【図７】
0005566927.tif 000008
【図８】
0005566927.tif 000009
【図９】
0005566927.tif 000010
【図１０】
0005566927.tif 000011
【図１１】
0005566927.tif 000012
【図１２】
0005566927.tif 000013
【図１３】
0005566927.tif 000014
【図１４】
0005566927.tif 000015